(57)【要約】      （修正有）【課題】押しボタンをエアゾール缶から容易に取り外すことができるようにする。【解決手段】エアゾール缶用の押しボタン１は、天面部１ａと、天面部１ａの外周部から下方に延びる外筒部１ｃとを有し、外筒部１ｃの下端がエアゾール缶のマウンティングカップの内周面に接した状態で支持され、断面視で外筒部１ｃの内周形状が略楕円形状をなし、外筒部１ｃはその肉厚を一部薄くしてなる薄肉部Ｐ１と薄肉部Ｐ１より肉厚を厚くしてなる厚肉部Ｐ２とを形成している。【選択図】図２
0003130193.tif 000002
【実用新案登録請求の範囲】
【請求項１】
天面部と、該天面部の外周部から下方に延びる側壁部とを有し、前記側壁部の下端がエアゾール缶のマウンティングカップの内周面に接した状態で支持されるエアゾール缶用押しボタンであって、
前記側壁部は、その肉厚を一部薄くした薄肉部及び一部厚くした厚肉部の少なくとも一方を有することを特徴とするエアゾール缶用押しボタン。
【請求項２】
天面部と、該天面部の外周部から下方に延びる側壁部とを有し、前記側壁部の下端がエアゾール缶のマウンティングカップの内周面に接した状態で支持されるエアゾール缶用押しボタンであって、
前記側壁部は、その下端から前記天面部に向けて切り込まれたスリット部を有することを特徴とするエアゾール缶用押しボタン。
【請求項３】
前記側壁部は、その肉厚を一部薄くした薄肉部及び一部厚くした厚肉部の少なくとも一方を有することを特徴とする請求項２に記載のエアゾール缶用押しボタン。
【考案の詳細な説明】
【技術分野】
【０００１】
本考案は、エアゾール缶から取り外しやすくしたエアゾール缶用押しボタンに関する。
【背景技術】
【０００２】
エアゾール缶は、残留ガスが残った状態で廃棄されると、廃棄過程において破裂するおそれがあることから、廃棄する際には可燃性の残留ガスを完全に放出してから廃棄するように求められている。残留ガスを放出する方法として、エアゾール缶から押しボタンを取外し、ステムをエアゾール缶の軸方向内空側に押し込む構造を有するキャップ本体に缶本体を装填することで残留ガスを抜く方法がある（例えば、特許文献１参照）。
特許文献１は、キャップ本体（スプレー缶用蓋）の天面部にステムを嵌合させるとともにステムを押し込む構造を備え、さらにキャップ本体の内部に液体吸収材を装填させた構造であり、ガス抜きを行う際には、缶の押しボタンを取り外し、逆さに向けたキャップ本体の天面部をステムに嵌合させ、そのカバー体でステムを押し込むことでガス抜きを行うものある。そして、ガス抜きに伴い噴出されるガスや液体を液体吸収材に吸収させることで、周囲に飛散することを防ぐようにしたものである。
【０００３】
ところで、図６に示すように、従来のエアゾール缶２の押しボタン１は、内筒部１ｂと側壁部１ｃとを有し、内筒部１ｂをバルブ機構７のステム６に嵌合させて固定する構造となっている。そして、側壁部１ｃは、その下端がエアゾール缶２のマウンティングカップ９の内周面９ａに隙間なく接する寸法で製作されている。これにより、エアゾール缶２に嵌合される押しボタン１は、左右に振れることなく安定した姿勢で固定され、操作上は勿論、外観上においても良好な構造となっている。
【特許文献１】特許第２９４１７６１号公報
【考案の開示】
【考案が解決しようとする課題】
【０００４】
しかしながら、従来のエアゾール缶の押しボタンでは、エアゾール缶の残留ガス抜きを行う際などで押しボタンを取り外すときに、押しボタンの側壁部の下端がマウンティングカップの内周面に接して嵌合状態となっていることから、押しボタンの周面に指や爪などを引っ掛ける部分がなく、側壁部を掴んで持ち上げようとすると指が滑ってしまい、押しボタンを取り外し難いといった問題があった。
【０００５】
そこで、本考案は、このような従来の事情に鑑みて提案されたものであり、押しボタンをエアゾール缶から容易に取り外すことができるエアゾール缶用押しボタンを提供することを目的とする。
【課題を解決するための手段】
【０００６】
この目的を達成するために、請求項１に係る考案は、天面部と、天面部の外周部から下方に延びる側壁部とを有し、側壁部の下端がエアゾール缶のマウンティングカップの内周面に接した状態で支持されるエアゾール缶用押しボタンであって、側壁部は、その肉厚を一部薄くした薄肉部及び一部厚くした厚肉部の少なくとも一方を有することを特徴とするエアゾール缶用押しボタンである。
【０００７】
また、請求項２に係る考案は、天面部と、天面部の外周部から下方に延びる側壁部とを有し、側壁部の下端がエアゾール缶のマウンティングカップの内周面に接した状態で支持されるエアゾール缶用押しボタンであって、側壁部は、その下端から天面部に向けて切り込まれたスリット部を有することを特徴とするエアゾール缶用押しボタンである。
【０００８】
また、請求項３に係る考案は、側壁部は、その肉厚を一部薄くした薄肉部及び一部厚くした厚肉部の少なくとも一方を有することを特徴とする請求項２に記載のエアゾール缶用押しボタンである。
【考案の効果】
【０００９】
以上のように、本考案の請求項１に係るエアゾール缶用押しボタンでは、側壁部に薄肉部及び厚肉部の少なくとも一方を有していることから、側壁部は掴むなどして外方から押圧したときに簡単に変形するため、指が滑るようなことがなく確実に押しボタンを保持することができる。そのため、特殊な道具を用いることなく、押しボタンをエアゾール缶から容易に取り外すことができる。
【００１０】
本考案の請求項２に係るエアゾール缶用押しボタンでは、押しボタンの側壁部にスリット部を有していることから、側壁部は掴むなどして外方から押圧したときに簡単に変形するため、指が滑るようなことがなく確実に押しボタンを保持することができる。そのため、特殊な道具を用いることなく、押しボタンをエアゾール缶から容易に取り外すことができる。
【００１１】
本考案の請求項３に係るエアゾール缶用押しボタンでは、側壁部に形成させたスリット部に加え、側壁部に薄肉部及び厚肉部の少なくとも一方を有していることから、側壁部が外方から押圧されたときにその側壁部がより一層簡単に変形することになる。そのため、側壁部を掴んだときに指が滑るようなことがなく、押しボタンをエアゾール缶から容易に取り外すことができる。
【考案を実施するための最良の形態】
【００１２】
以下、本考案を適用したエアゾール缶用押しボタンについて、図面を参照して詳細に説明する。
（第１の実施の形態）
図１は、本考案を適用した第１の実施の形態によるエアゾール缶用の押しボタンの断面図、図２は図１に示す押しボタンの斜視図、図３は図２に示す押しボタンのＡ−Ａ線断面図である。
【００１３】
図１に示すように、本考案の押しボタン１は、エアゾール缶２（スプレー缶ともいう）に取り付けられるものである。
先ず、具体的に、エアゾール缶２は、内容物が収容された耐圧容器３と、耐圧容器３の上部に設けられた突起部４の先端から突出されるとともに、付勢部材５により上方に付勢された状態で上下方向に移動可能に支持されたステム６を付勢部材５に抗して押し下げることにより開放されるバルブ機構７と、ステム６の先端部に取り付けられるとともに噴射ノズル８（噴射口）が設けられた押しボタン１とを備えている。
【００１４】
耐圧容器３は、例えばスチールやアルミニウム等からなる金属製の容器であり、その上部中央にバルブ機構７を保持するマウンティングカップ９が設けられている。このマウンティングカップ９の底面中央からは、平面視略円形状の突起部４が上方に向かって突出している。この突起部４は、バルブ機構７のステム６を上下方向に移動可能に支持する部分であり、この突起部４の先端からは、円筒状のステム６が上方に向かって突出している。
【００１５】
この圧力容器３に収容される内容物としては、特に限定されるものではないが、本押しボタン１の形状（詳しくは後述する）から、例えば、整髪剤、ヘアケア剤、育毛トニック剤などを挙げることができる。
【００１６】
バルブ機構７は、マウンティングカップ９の突起部４の内側から耐圧容器３内に垂下されたシリンダ１１を有している。ステム６は、その下端部に設けられた弁体６ａをシリンダ１１内に挿入している。付勢部材５は、シリンダ１１内の弁体６ａの下方に圧縮された状態で配置されている。これにより、ステム６は、上方に付勢された状態で上下方向に移動可能になっている。なお、ステム６が上端部に位置するとき、このバルブ機構７は閉塞された状態となっている。また、シリンダ１１の下端部からは、耐圧容器３に収容された内容物を吸い込むチューブ（図示省略）が圧力容器３のほぼ底面部まで延びている。
【００１７】
図１に示すように、押しボタン１は、環状に形成された天面部１ａと、この天面部１ａの下面中央から垂下された内筒部１ｂと、この内筒部１ｂの同軸上にその周囲を囲むように天面部１ａの外周部から下方に向けて延びる外筒部１ｃ（側壁部）と、天面部１ｃの下面に連設されるとともに内筒部１ａと外筒部１ｂとに接続された補強リブ１ｄとを有している。すなわち、内筒部１ｂの上端と外筒部１ｃの上端とが、天面部１ａに連設されている。天面部１ａは、外周部より中央がエアゾール缶２の軸方向内方に傾斜する斜面が形成されている。
このように構成される押しボタン１は、外筒部１ｃの下端部分がバルブ機構７のマウンティングカップ９の内面９ａに隙間なく内接して嵌合するように構成されている。
【００１８】
また、押しボタン１は、ステム６とその先端の噴射ノズル８とを内筒部１ｂの内側に嵌合させることによって、ステム６の先端部に取り付けられている。すなわち、噴射ノズル８は、押しボタン１の天面部１ａの略中央に設けられ、缶内の内容物をその軸方向外方に向けて霧状又は泡状にして噴射させるようになっている。
【００１９】
さらに、図３に示すように、押しボタン１は、断面視で外筒部１ｃの内周形状が略楕円形状をなし、外筒部１ｃはその肉厚を一部薄くしてなる薄肉部Ｐ１と薄肉部Ｐ１より肉厚を厚くしてなる厚肉部Ｐ２とによって形成されている。
【００２０】
このように構成される押しボタン１では、薄肉部Ｐ１と厚肉部Ｐ２とを有しているので外筒部１ｃは押圧によって変形しやすい構成となっている。つまり、薄肉部Ｐ１付近が外方から押圧されるとその薄肉部Ｐ１が押しボタン１の内空側に凹んで変形し、厚肉部Ｐ２付近が押圧されると薄肉部Ｐ１が外方に膨れるようにして変形することになる。
つまり、残留ガスを放出するために押しボタン１をステム６から取り外す際には、先ず、図２及び図３に示すように、押しボタン１の外筒部１ｃの一部を掴んで押圧することによって、その外筒部１ｃが変形するため、この変形によって指が滑ることなく外筒部１ｃを保持することができ、押しボタン１を持ち上げてエアゾール缶２から容易に取り外すことができる。
【００２１】
以上のような構造を有するエアゾール缶用押しボタン１では、外筒部１ｃに薄肉部Ｐ１と厚肉部Ｐ２とを有していることから、外筒部１ｃは掴むなどして外方から押圧したときに簡単に変形するため、指が滑るようなことがなく確実に押しボタン１を保持することができる。そのため、特殊な道具を用いることなく、押しボタン１をエアゾール缶２から容易に取り外すことができる。
【００２２】
なお、本考案は、上記実施形態のものに必ずしも限定されるものではなく、本考案の趣旨を逸脱しない範囲において種々の変更を加えることが可能である。
以下、本考案を適用したエアゾール缶用の押しボタンの別の実施形態について説明する。なお、以下の説明では、上記実施形態と同等の部位については、説明を省略すると共に、図面において同じ符号を付すものとする。
【００２３】
（第２の実施の形態）
図４は本考案を適用した別のエアゾール缶用の押しボタンを示す斜視図であって、図２に対応する図、図５は図４に示す押しボタンのＢ−Ｂ線断面図である。
図４及び図５に示す押しボタン２０は、上述した図２に示す押しボタン１の構成に代えて、外筒部２０ｃ（側壁部）の肉厚が一様とされ、外筒部２０ｃにはその下端から天面部２０ａに向けて切り込まれた一対のスリット部２０ｆ、２０ｇを設けた構成をなしている。
各スリット部２０ｆ、２０ｇは、外筒部２０ｃを厚さ方向に貫通してなり、外筒部２０ｃの高さ方向で略中央まで延ばされている。そして、一対のスリット部２０ｆ、２０ｇは、互いに対向する位置に配置されている。
【００２４】
このように、本第２の実施の形態では、押しボタン２０の外筒部２０ｃに一対のスリット部２０ｆ、２０ｇを有していることから、外筒部２０ｃは掴むなどして外方から押圧したときに簡単に変形するため、指が滑るようなことがなく確実に押しボタン２０を保持することができる。そのため、特殊な道具を用いることなく、押しボタン２０をエアゾール缶２から容易に取り外すことができる。
【００２５】
以上、本考案によるエアゾール缶用の押しボタンの第１及び第２の実施の形態について説明したが、本考案は上記の第１及び第２の実施の形態に限定されるものではなく、その趣旨を逸脱しない範囲で適宜変更可能である。
例えば、本考案を適用した押しボタン１、２０には、その天面部中央に噴射ノズル８が設けられた構成をなし、とくに育毛剤などの用途で使用されるものとしているが、内容物、用途はこれに限定されることはない。例えば、噴射ノズルの噴射口を側壁部に設けた形状の押しボタンであってもよく、この場合の内容物として、例えば殺虫剤、芳香剤、工業用スプレーなどが挙げられる。
【００２６】
また、上述した第２の実施の形態において、外筒部２０ｃ（側壁部）に形成させた一対のスリット部２０ｆ、２０ｇに加え、外筒部２０ｃに薄肉部或いは厚肉部を有する構成としてもかまわない（図４及び図５参照）。この場合、押しボタン２０がより一層変形しやすくなり、外筒部２０ｃを掴んだときに指が滑ることがなくなり、押しボタン２０をエアゾール缶２から容易に取り外すことができる。
さらに、第１の実施の形態では外筒部１ｃの肉厚が薄肉部Ｐ１と厚肉部Ｐ２とが均等に配置されているが、これに限定されることはなく、要は、外筒部１ｃの肉厚を一部薄くした薄肉部及び一部厚くした厚肉部の少なくとも一方を有することで、外筒部１ｃが押圧されたときに簡単に変形することができればよいのである。
さらにまた、本第１及び第２の実施の形態では外筒部１ｃ、２０ｃの外形が平面視円形をなしているが、例えば楕円形、多角形など他の形状であってもよい。
【図面の簡単な説明】
【００２７】
【図１】本考案を適用した第１の実施の形態によるエアゾール缶用の押しボタンの断面図である。
【図２】図１に示す押しボタンの斜視図である。
【図３】図２に示す押しボタンのＡ−Ａ線断面図である。
【図４】本考案を適用した別のエアゾール缶用の押しボタンを示す斜視図であって、図２に対応する図である。
【図５】図４に示す押しボタンのＢ−Ｂ線断面図である。
【図６】従来の押しボタンの構造を示す断面図である。
【符号の説明】
【００２８】
１、２０…押しボタン、１ａ、２０ａ…天面部、１ｃ、２０ｃ…外筒部（側壁部）、２…エアゾール缶、３…耐圧容器、６…ステム、２０ｆ、２０ｇ…スリット部、Ｐ１…薄肉部、Ｐ２…厚肉部
【図１】
0003130193.tif 000003
【図２】
0003130193.tif 000004
【図３】
0003130193.tif 000005
【図４】
0003130193.tif 000006
【図５】
0003130193.tif 000007
【図６】
0003130193.tif 000008